(57)【要約】【課題】トレイの挿抜操作が簡単で且つ確実に防水できるカードコネクタを提供する。【解決手段】開口部と、該開口部に設けられた前枠と、を有するハウジングと、前記ハウジングの所定の位置に挿入され、カードを載置可能な載置部と、トレイの排出方向側に設けられた前壁部とを有するトレイと、前記前枠の前記前壁部側に又は前記前壁部の前記開口部側に、前記開口部の周縁を取り囲むように設けられる周縁封止部と、前記ハウジング内に設けられ、前記トレイを前記トレイの挿入方向に付勢する付勢部材と、を備え、前記付勢部材は、前記周縁封止部を介して、前記前壁部と前記前枠とを密着させることで封止する。【選択図】図１
2017022104.tif 000002
【特許請求の範囲】
【請求項１】
開口部と、該開口部に設けられた前枠と、を有するハウジングと、
前記ハウジングの所定の位置に挿入され、カードを載置可能な載置部と、トレイの排出方向側に設けられた前壁部とを有するトレイと、
前記前枠の前記前壁部側に又は前記前壁部の前記開口部側に、前記開口部の周縁を取り囲むように設けられる周縁封止部と、
前記ハウジング内に設けられ、前記トレイを前記トレイの挿入方向に付勢する付勢部材と、
を備え、
前記付勢部材は前記周縁封止部を介して、前記前壁部と前記前枠とを密着させることで封止することを特徴とするカードコネクタ。
【請求項２】
さらに、前記ハウジング内に設けられるプッシュロッドを有するイジェクト機構を備え、
前記前壁部に該前壁部を貫通するトレイ孔が設けられるとともに、前記前枠に該前枠を貫通する前枠孔が設けられ、前記前枠孔は前記挿入方向に沿って前記トレイ孔と対向する位置に形成され、
前記挿入方向から見て前記トレイ孔と前記前枠孔とが前記周縁封止部の外部に位置し、
前記プッシュロッドは、前記トレイが前記ハウジングの所定の位置に装着された状態で、前記プッシュロッドの前端部が前記前枠孔を塞ぐように設置されることを特徴とする請求項１に記載のカードコネクタ。
【請求項３】
さらに、前記ハウジング内に設けられるプッシュロッドを有するイジェクト機構を備え、
前記前壁部に該前壁部を貫通するトレイ孔が設けられるとともに、前記前枠に該前枠を貫通する前枠孔が設けられ、前記前枠孔は前記挿入方向に沿って前記トレイ孔と対向する位置に形成され、
前記挿入方向から見て前記トレイ孔と前記前枠孔とは前記周縁封止部の内部に位置し、
前記プッシュロッドは、前記トレイが前記ハウジングの所定の位置に装着された状態で、前記プッシュロッドの前端部が前記前枠孔を介して前記トレイ孔を塞ぐように設置されることを特徴とする請求項１に記載のカードコネクタ。
【請求項４】
前記前枠孔の周辺部に前記プッシュロッドの前記前端部に対応した孔外封止部が設けられ、
前記プッシュロッドの前記前端部が前記前枠孔を塞ぐ際に、前記プッシュロッドの前記前端部が前記孔外封止部に密着していることを特徴とする請求項２に記載のカードコネクタ。
【請求項５】
前記トレイ孔の周辺部に前記プッシュロッドの前記前端部に対応した孔外封止部が設けられ、
前記プッシュロッドの前記前端部が前記トレイ孔を塞ぐ際に、前記プッシュロッドの前記前端部が前記孔外封止部に密着していることを特徴とする請求項３に記載のカードコネクタ。
【請求項６】
前記前枠孔及び／又は前記トレイ孔の内部に孔内封止部が設けられ、
前記トレイの排出操作が行われる場合、前記排出操作部材で前記孔内封止部を介して前記プッシュロッドの前記前端部を押圧することを特徴とする請求項２又３のいずれか一つに記載のカードコネクタ。
【請求項７】
前記カードコネクタが電子装置の筐体に取り付けられている場合、前記前枠における前記電子装置の筐体に対向する領域に、前記開口部を取り囲む筐体封止部が設けられていることを特徴とする請求項１に記載のカードコネクタ。
【請求項８】
前記周縁封止部は、前記付勢部材の前記付勢力で前記挿入方向に圧縮されることを特徴とする請求項１乃至７のいずれか一つに記載のカードコネクタ。
【請求項９】
前記付勢部材は、前記プッシュロッドを前記排出方向に付勢することを特徴とする請求項２乃至７のいずれか一つに記載のカードコネクタ。
【請求項１０】
前記プッシュロッドの前記前端部は、前記付勢部材による前記排出方向への付勢力で移動し、前記前枠孔を塞ぎ、又は前記前枠孔を介して前記トレイ孔を塞ぐことを特徴とする請求項９に記載のカードコネクタ。
【請求項１１】
ハウジングと、
前記ハウジングの所定の位置に挿入され、カードを載置可能な載置部と、トレイの排出方向側に設けられた前壁部とを有するトレイと、
前記ハウジング内に設けられるプッシュロッドを有するイジェクト機構と、
を備え、
前記前壁部に該前壁部を貫通するトレイ孔が設けられ、
前記トレイ孔は、前記排出方向に沿って前記プッシュロッドの前記排出方向側の前端部と対向する位置に設けられ、
前記トレイが前記ハウジングの所定の位置に装着された状態で、前記プッシュロッドの前記前端部が前記トレイ孔を塞ぐことを特徴とするカードコネクタ。
【発明の詳細な説明】
【技術分野】
【０００１】
本発明は、カードコネクタに関し、特に防水機能を有するカードコネクタに関する。
【背景技術】
【０００２】
従来、トレイタイプのカードコネクタに対して防水機能を設ける場合は、搭載する電子機器の筐体側に防水キャップを設けて筐体の開口部全体を覆う構造や、トレイと筐体との間に設けた防水のためのＯリング（オーリング）を用いる構造などがある。
【０００３】
特許文献１に、防水キャップを使用するカードコネクタの防水構造が公開されている。この特許文献１の記載によれば、図１に示すように、電子機器のハウジング１０１に開口１０２が設けられ、前記開口１０２に防水キャップ１０３を嵌め込むことで電子機器のハウジング１０１を封止し、防水が図られる。また、防水キャップ１０３は、防水キャップの密封効果を向上させるために、開口１０２を画定するハウジング１０１の側壁に接触する面が凹凸状に形成されるとともに、シリコンゴムなどの可撓性材料からなることが好ましい。
【０００４】
特許文献２に、Ｏリングを使用するカードコネクタの防水構造が公開されている。この特許文献２の記載によれば、図２に示すように、トレイ１１０の封止部１１１の周囲に、トレイ１１０がハウジング１３０のカード収容空間内に装着された際に、電子機器の筐体１４０に設けられた貫通孔１４２と封止部１１１との間に形成されたる間隙１４１を封止できるリング状の弾性部材からなるＯリング１２０が配置されている。また、前記Ｏリング１２０は、柔軟な材料からなり、トレイ１１０の封止部１１１が貫通孔１４２内に配置される際に、前記Ｏリング１２０が貫通孔１４２の内側壁に押圧され弾性変形が発生されることにより、間隙１４１を密封するとともに、トレイ１１０を装着位置に保持することができる。
【先行技術文献】
【特許文献】
【０００５】
【特許文献１】日本特開２０１４−１３５１４８号公報
【特許文献２】日本特開２０１４−１８２９２０号公報
【発明の概要】
【発明が解決しようとする課題】
【０００６】
しかし、防水キャップを使用した特許文献１は、トレイ以外にさらに防水キャップを設置する必要があるため、電子機器の部品点数が増加し、また、前記可撓性材料の防水キャップを設置することで防水キャップと電子機器のハウジングとの材料を一致させることができないため、電子機器の外観デザインが制約される。また、トレイを取り出す前に防水キャップを開ける必要があるため、操作動作が増える問題が存在し、さらに特定の道具を使用して防水キャップを開ける場合もある。
【０００７】
Ｏリングを使用した特許文献２は、トレイの外側（即ち電子機器の筐体側）の材料に制限がなく、電子機器の筐体材料と一致するように設計できるため、外観デザイン上は特許文献１の構造より優れる。しかし、Ｏリングを備えるトレイを挿抜する場合、Ｏリングは、その外周と貫通孔の内側壁との間の動摩擦力に耐える必要があるため、トレイの挿抜が難しく、更には、長時間使用した後、この動摩擦力はＯリングの摩耗を引き起こして密封性に影響することがある。
【０００８】
また、前記のＯリングの構造は、ピンイジェクトタイプのカードコネクタに対して防水密封を実現できない。これは、ピンイジェクトタイプのカードコネクタの外側壁にカード取り出しピンが挿入可能なピン孔を設ける必要があり、前記Ｏリングはトレイと電子機器との間の防水密封だけを実現でき、水などの液体が前記ビンからカードコネクタの内部に侵入することを防止できないからである。また、ピン孔に対する防水のために特許文献１の防水キャップ方式を採用する場合、同様に外観デザインが制約され、操作動作が増える問題が存在する。
【０００９】
本発明は、上記問題に鑑みてなされたものであり、トレイの挿抜操作が簡単で且つ確実に防水できるカードコネクタを提供することを目的とする。
【課題を解決するための手段】
【００１０】
本発明のカードコネクタは、開口部と、該開口部に設けられた前枠と、を有するハウジングと、前記ハウジングの所定の位置に挿入され、カードを載置可能な載置部と、トレイの排出方向側に設けられた前壁部とを有するトレイと、前記前枠の前記前壁部側に又は前記前壁部の前記開口部側に、前記開口部の周縁を取り囲むように設けられる周縁封止部と、前記ハウジング内に設けられ、前記トレイを前記トレイの挿入方向に付勢する付勢部材と、を備え、前記付勢部材は前記周縁封止部を介して、前記前壁部と前記前枠とを密着させることで封止する。
【００１１】
付勢部材は、周縁封止部を介して、前記前壁部と前記前枠とを密着させ、トレイとハウジングとの間の密封が実現できる。この周縁封止部は前壁部又は前枠に設置されている。また、トレイがハウジングの所定の位置（即ち装着位置）に挿入された状態で、付勢部材は、常時トレイを挿入方向へ付勢するため、防水密封を確実に実現できる。
【００１２】
前記カードコネクタにおいて、さらに、前記ハウジング内に設けられるプッシュロッドを有するイジェクト機構を備え、前記前壁部に該前壁部を貫通するトレイ孔が設けられるとともに、前記前枠に該前枠を貫通する前枠孔が設けられ、前記前枠孔は前記挿入方向に沿って前記トレイ孔と対向する位置に形成され、前記挿入方向から見て前記トレイ孔と前記前枠孔とは前記周縁封止部の外部に位置し、前記プッシュロッドは、前記トレイが前記ハウジングの所定の位置に装着された状態で、前記プッシュロッドの前端部が前記前枠孔を塞ぐように設置される。
【００１３】
前記カードコネクタにおいて、さらに、前記ハウジング内に設けられるプッシュロッドを有するイジェクト機構を備え、前記前壁部に該前壁部を貫通するトレイ孔が設けられるとともに、前記前枠に該前枠を貫通する前枠孔が設けられ、前記前枠孔は前記挿入方向に沿って前記トレイ孔と対向する位置に形成され、前記挿入方向から見て前記トレイ孔と前記前枠孔とは前記周縁封止部の内部に位置し、前記プッシュロッドは、前記トレイが前記ハウジングの所定の位置に装着された状態で、前記プッシュロッドの前端部が前記前枠孔を介して前記トレイ孔を塞ぐように設置される。
【００１４】
ピンイジェクトタイプのカードコネクタは、プッシュロッドの排出方向側の前端部を利用して前枠孔を塞ぐことによって、水などの液体が前枠孔を介してカードコネクタのハウジング内部に侵入することを防止できる。部材点数を増加することなく、簡単な構造によって前枠孔を塞ぐことができ、カードコネクタの防水密封が実現できる。
また、前記プッシュロッドの前記前端部が前記前枠孔を介して前記トレイ孔を塞ぐことができるため、水などの液体がトレイ孔を介してカードコネクタのトレイとハウジングとの間に侵入することを防止でき、当然水などの液体がカードコネクタのハウジング内部に侵入することも防止できる。
【００１５】
前記カードコネクタにおいて、前記前枠孔の周辺部に前記プッシュロッドの前記前端部に対応した孔外封止部が設けられ、前記プッシュロッドの前記前端部が前記前枠孔を塞ぐ際に、前記プッシュロッドの前記前端部が前記孔外封止部に密着している。
前記カードコネクタにおいて、前記トレイ孔の周辺部に前記プッシュロッドの前記前端部に対応した孔外封止部が設けられ、前記プッシュロッドの前記前端部が前記トレイ孔を塞ぐ際に、前記プッシュロッドの前記前端部が前記孔外封止部に密着している。
【００１６】
プッシュロッドの前端部は孔外封止部を密着させ、孔外封止部が圧縮されることによって、水などの液体が前枠孔を介してカードコネクタのハウジング内部に侵入することをより確実に防止できる。
【００１７】
前記カードコネクタにおいて、前記前枠孔及び／又は前記トレイ孔の内部に孔内封止部が設けられ、前記トレイの排出操作が行われる場合、前記排出操作部材で前記孔内封止部を介して前記プッシュロッドの前記前端部を押圧する。
【００１８】
前枠孔及び/又はトレイ孔内に孔内封止部を設けることによって、通常の状態で、弾性部材は前枠孔及び/又はトレイ孔を封止でき、排出操作部材でトレイの排出操作が行われる場合、排出操作部材は、前記弾性部材を圧縮しながら前枠孔及び/又はトレイ孔を貫通し、さらにプッシュロッドの前端部を押圧できる。このように孔内封止部を設置することで、水などの液体が前枠孔及び/又はトレイ孔を介してカードコネクタの内部に侵入することをより確実に防止できる。
【００１９】
前記カードコネクタにおいて、前記カードコネクタが電子装置の筐体に取り付けられている場合、前記カードコネクタが前記電子装置の筐体に取り付けられている場合、前記前枠における前記電子装置の筐体に対向する領域に、前記開口部を取り囲む筐体封止部が設けられている。
【００２０】
前枠と電子装置の筐体との間に筐体封止部を設置することで、カードコネクタの前枠と電子装置の筐体との隙間から水などの液体が浸入することを防止できる。当然、この筐体封止部はトレイと電子装置の筐体との間に設置してもよく、カードコネクタと電子装置の筐体との隙間から水などの液体が浸入することを防止できれば良い。
前記カードコネクタにおいて、前記周縁封止部は、前記付勢部材の付勢力で前記挿入方向に圧縮される。
【００２１】
トレイの挿抜において、周縁封止部がトレイの挿入方向に圧縮され、挿入方向の押圧力のみを受けるが、周縁封止部の表面が動摩擦力をほぼ受けないため、本発明の周縁封止部は、摩耗し難く、確実且つ寿命が長い密封を実現できる。
【００２２】
前記カードコネクタにおいて、前記付勢部材は、前記プッシュロッドを前記排出方向に付勢する。前記プッシュロッドの前記前端部は、前記付勢部材の付勢力で、前記排出方向へ移動し、前記前枠孔を塞ぎ、又は前記前枠孔を介して前記トレイ孔を塞ぐ。
【００２３】
付勢部材は前記プッシュロッドを前記排出方向に付勢し、プッシュロッドの排出方向側の前端部は、前記前枠孔又は前記トレイ孔を塞ぐだけではなく、前記前枠孔又は前記トレイ孔のトレイの周縁と密着させることによって、確実な密封を実現できる。そして、トレイがハウジングの所定の位置に挿入された動作状態で、付勢部材はトレイ及び回転板を介してプッシュロッドの排出方向側の前端部を排出方向に常時付勢するため、確実に防水密封を実現できる。
【００２４】
本発明のカードコネクタは、ハウジングと、前記ハウジングの所定の位置に挿入され、カードを載置可能な載置部と、トレイの排出方向側に設けられた前壁部とを有するトレイと、前記ハウジング内に設けられるプッシュロッドを有するイジェクト機構と、を備え、前記前壁部に該前壁部を貫通するトレイ孔が設けられ、前記トレイ孔は、前記排出方向に沿って前記プッシュロッドの前記排出方向側の前端部と対向する位置に設けられ、前記トレイが前記ハウジングの所定の位置に装着された状態で、前記プッシュロッドの前記前端部が前記トレイ孔を塞ぐ。
【００２５】
ピンイジェクトタイプのカードコネクタは、プッシュロッドの排出方向側の前端部を利用してトレイ孔を塞ぐことによって、水などの液体が前記トレイ孔を介してカードコネクタの内部に侵入することを防止できる。部材点数を増加することなく、簡単な構造によってトレイ孔を塞ぐことができ、カードコネクタの防水密封が実現できる。
【発明の効果】
【００２６】
本発明によれば、トレイの挿抜操作が簡単で且つ確実に防水できるカードコネクタを提供することができる。
【図面の簡単な説明】
【００２７】
【図１】従来の防水キャップを使用するカードコネクタの防水構造を示す図である。
【図２】従来のＯリングを使用するカードコネクタの防水構造を示す図である。
【図３】（Ａ）は実施形態１のカードコネクタを示す斜視図、（Ｂ）は図３（Ａ）のカードコネクタと電子基板とが組み立てられた斜視図、（Ｃ）は図３（Ｂ）のカードコネクタと電子装置の筐体とが組み立てられた斜視図である。
【図４】図３（Ａ）のカードコネクタの分解斜視図である。
【図５】図３（Ａ）のカードコネクタの平面図である。
【図６】図３（Ｃ）のＡ−Ａ′線に沿う断面図である。
【図７】（Ａ）は実施形態２のカードコネクタを示す斜視図、（Ｂ）は図７（Ａ）のカードコネクタのトレイを排出した状態の斜視図である。
【図８】実施形態２のカードコネクタの図３（Ｃ）におけるＡ−Ａ′線に沿う断面図である。
【図９】実施形態３のカードコネクタの図３（Ｃ）におけるＡ−Ａ′線に沿う断面図である。
【発明を実施するための形態】
【００２８】
以下、図面を参照し、本発明のカードコネクタの構造を説明する。
図面において、Ｙ１方向はトレイの挿入方向を表し、Ｙ２方向はトレイの排出方向を表し、Ｘ１方向とＸ２方向は平面視でＹ１方向と直交する方向（左右方向）の左方向と右方向を表し、Ｚ１方向とＺ２方向はＸ１方向及びＹ１方向と直交する方向（厚み方向）の上方向と下方向を表す。
【００２９】
（実施形態１）
図３（Ａ）は、本発明のカードコネクタ１の斜視図を示す。図３（Ｂ）は、図３（Ａ）におけるカードコネクタ１と電子基板２とが組み立てられた斜視図を示す。図３（Ｃ）は、図３（Ｂ）におけるカードコネクタ１と電子装置の筐体３とが組み立てられた斜視図を示す。
その中に、図３（Ｂ）における電子基板２が、カードコネクタ１の下方に設けられ、半田付け等によってカードコネクタ１のピン（図示せず）と電子基板２のパッド（図示せず）とが電気接続される。図３（Ｂ）は電子基板２の取付位置のみを模式的に示し、実際の電子基板２の形状と大きさは、これに限定されない。
【００３０】
また、図３（Ｃ）における筐体３の前側壁３ａに開口３ｂが設けられ、カードコネクタ１の一部が当該開口３ｂから露出し、露出した当該カードコネクタ１の一部が前側壁３ａと同じ平面に位置する。図３（Ｃ）に示す電子装置の筐体３は、例示的なものであり、実際の筐体３の形状と大きさは、これに限定されない。
【００３１】
図４は、図３（Ａ）のカードコネクタ１の分解斜視図を示す。カードコネクタ１は、ハウジング１１と、蓋１２と、トレイ１３と、係合部材１４と、コイルバネ（付勢部材）１５と、イジェクト機構１６とを備える。
【００３２】
図５は、図３（Ａ）のカードコネクタ１の平面図であり、カードコネクタ１の内部構造を示すために、図５において蓋１２を省略する。図６は、図３（Ｃ）のＡ−Ａ′線に沿う断面図である。図４〜図６に示すカードコネクタ１は、ｎａｎｏ  ＳＩＭカードのカードコネクタを例として説明するが、本発明は、ｎａｎｏ  ＳＩＭカードに限定されず、ＳＩＭカード、ｍｉｃｒｏ  ＳＩＭカード、及びｍｉｎｉ  ＳＤカード等の各種カードコネクタに適用できる。
【００３３】
ハウジング１１は、樹脂からなる本体部１１ａと、金属からなる端子部１１ｂとを含み、本体部１１ａと端子部１１ｂとは、インサート成形（ｉｎｓｅｒｔ  ｍｏｌｄｉｎｇ）で一体になる。当該本体部１１ａは、トレイ１３が挿入可能な第１開口部１１ｃを有し、トレイ１３を収容できるように構成される。そして、当該本体部１１ａに、係合部材１４と、コイルバネ（付勢部材）１５と、イジェクト機構１６とを設置できる。端子部１１ｂは、挿入されるカードの金属接触点に電気接続される。図５に示す７個の端子部１１ｂは、挿入されるｎａｎｏ  ＳＩＭカードの６個の有効金属接触点に電気接続できる。
【００３４】
また、ハウジング１１は、第１開口部１１ｃの付近に設けられる前枠１９と、第１開口部１１ｃの周縁を取り囲むように設けられる弾性部材（例えばシリコーンゴム）からなる周縁封止部２０と、間隔を隔てて周縁封止部２０を取り囲む筐体封止部２１とを含む。
【００３５】
前枠１９は、樹脂からなり、トレイ１３が挿入可能な第２開口部１９ａを有する。本体部１１ａと前枠１９とが組み立てられた場合、第１開口部１１ｃと第２開口部１９ａとは、トレイ１３の挿入口を構成する。
【００３６】
前枠１９のＹ２方向側に、周縁封止部２０を取り付けるための第１取付溝１９ｂが形成され、当該第１取付溝１９ｂは、周縁封止部２０と対応する形状に形成される。また、前枠１９のＹ２方向側の電子装置の筐体３と対向する領域に、筐体封止部２１を取り付けるための第２取付溝１９ｃが形成され、当該第２取付溝１９ｃは、上記第２開口部１９ａ及び後述の前枠孔１９ｄを取り囲み、第１取付溝１９ｂより大きく形成される。当該第２取付溝１９ｃに弾性部材（例えばシリコーンゴム）からなる筐体封止部２１を取り付けることによって、図６に示すように、前枠１９と電子装置の筐体３との間を封止する。
【００３７】
トレイ１３は、ハウジング１１の所定の位置に挿入されカードを載置可能な載置部１３ａと、当該トレイのＹ２方向側に設けられる前壁部１３ｂとを有する。この場合の「所定の位置」とは、トレイ１３がハウジング１１に挿入されたとき、トレイ１３が載置しているカードの金属接触点（図示せず）とカードコネクタ１の端子部１１ｂとが電気接続される装着位置である。図５及び図６は、載置部１３ａがハウジング１１の所定の位置に挿入された状態を示している。図４、図６に示すように、周縁封止部２０と前壁部１３ｂとは、略長方形に形成され、周縁封止部２０の長さと幅は、前壁部１３ｂより小さく形成される。
【００３８】
係合部材１４は、金属からなり、係合部材１４の左右両側に、トレイ１３の左右両側を挟む２つの板ばね部１４ａを有し、板ばね部１４ａのＹ２方向の端部の付近に、中間へ突出するＶ形状の凸部１４ｂが形成される。トレイ１３の載置部１３ａがハウジング１１の所定の位置に挿入されたとき、左右両側の２つの凸部１４ｂは、それぞれトレイ１３の左右両側に設けられる係合凹部１３ｄと係合される。
【００３９】
また、２つの板ばね部１４ａのＹ１方向側の端部の付近にそれぞれコイルバネ接続部１４ｃが形成され、コイルバネ接続部１４ｃは、Ｙ２方向へコイルバネ１５の一端（Ｙ１側の端部）の内部に挿入でき、コイルバネ１５と接続できる。
【００４０】
また、係合部材１４は、２つの板ばね部１４ａを接続する中央部１４ｄを有し、中央部１４ｄはハウジング１１のＺ１方向側の上面に設置され、トレイ１３の排出とともにＹ２方向へ所定の距離をスライドすることができる。図４に示すように、板ばね部１４ａにおけるＹ１方向側にＹ１方向に対して傾斜している当接部１４ｅが設けられ、板ばね部１４ａの下方に位置するハウジング１１に段差部１１ｆが設けられている。係合部材１４は、図６に示すように、板ばね部１４ａの当接部１４ｅと、ハウジング１１の段差部１１ｆとが当接するまで、Ｙ２方向へスライド可能である。
【００４１】
図５に示すように、２つのコイルバネ１５は、それぞれハウジング１１に形成されるコイルバネ収容部１１ｄに設置され、コイルバネ１５のＹ２側の端部は、ハウジング１１と当接される。また、図６に示すように、コイルバネ１５のＹ１側の端部は、挿入されたコイルバネ接続部１４ｃと当接され固定される。
【００４２】
図５に示す状態で、コイルバネ１５は、圧縮状態にあり、係合部材１４を介してトレイ１３をＹ１方向に付勢する。このように、周縁封止部２０は、コイルバネ１５の付勢力でＹ１方向（又はＹ２方向）に圧縮され、コイルバネ１５は、トレイ１３の前壁部１３ｂをハウジング１１の周縁封止部２０に密着させ、両者の間の密封を実現する。
【００４３】
イジェクト機構１６は、ハウジング１１の本体部１１ａに設けられ、回転板１７とプッシュロッド１８からなる。回転板１７に、円孔１７ａが設けられ、図５に示すように、回転板１７がハウジング１１内のＹ１側に設けられたとき、ハウジング１１に設けられた短軸１１ｅが円孔１７ａに入り、回転板１７が短軸１１ｅを中心として回転できる。プッシュロッド１８がハウジング１１のＸ２方向側に設けられ、プッシュロッド１８の本体部１８ａのＹ１側で、該本体部１８ａが回転板１７の一端部に連結され、プッシュロッド１８のＹ２側の前端部１８ｂがＸ１−Ｘ２方向と平行するように屈折され、Ｙ１方向から見ると、当該前端部１８ｂが略正方形に形成される。
トレイ１３の前壁部１３ｂに、図示しない排出操作部材（例えば、カード取り出しピン）が挿入可能な前壁部１３ｂを貫通するトレイ孔１３ｃが設けられ、前枠１９に排出操作部材が挿入可能な、前枠１９を貫通する前枠孔１９ｄが設けられ、当該前枠孔１９ｄは、Ｙ１方向にトレイ孔１３ｃと対向する位置に形成され、Ｙ１方向から見ると、トレイ孔１３ｃと前枠孔１９ｄとは、周縁封止部２０の外部に位置し、且つ筐体封止部２１の内部に位置する。この場合の「周縁封止部２０の外部」とは、Ｙ１方向から見た際に周縁封止部２０の外周より外側に位置する領域であり、「筐体封止部２１の内部」とは、Ｙ１方向から見た際に筐体封止部２１の内周より内側に位置する領域である。
【００４４】
また、図６に示すように、プッシュロッド１８は、トレイ１３がハウジング１１の所定の位置に設けられた状態で、プッシュロッド１８の前端部１８ｂが前枠孔１９ｄを塞ぐように設置される。
【００４５】
また、前枠孔１９ｄのＹ１側の周辺に、弾性部材（例えばシリコーンゴム）からなる孔外封止部２２が設けられる。当該リング状の孔外封止部２２の円心とプッシュロッド１８の前端部１８ｂの中心とがＹ１方向にほぼ重なり、Ｙ１方向から見て、孔外封止部２２の外径が前端部１８ｂの対角線より大きく、且つ孔外封止部２２の内径が前端部１８ｂの短辺より小さいことは好ましい。つまり、Ｙ１方向から見ると、前端部１８ｂの孔外封止部２２と接触する部分が前枠孔１９ｄを塞ぐと共に孔外封止部２２の外形以内に位置する。
【００４６】
トレイ１３がハウジング１１に完全に挿入されていない場合、コイルバネ１５はトレイ１３を当該Ｙ１方向に付勢し、トレイ１３は、Ｙ１方向へ移動した後、回転板１７と当接し、回転板１７を回転させ、回転板１７の回転に伴って、プッシュロッド１８の前端部１８ｂをＹ２方向へ移動させる。プッシュロッド１８の前端部１８ｂが前枠孔１９ｄを塞ぐとき、コイルバネ１５の前端部１８ｂに対する付勢力によって、前端部１８ｂが孔外封止部２２に密着する。
【００４７】
コイルバネ１５は、トレイ１３の前壁部１３ｂをハウジング１１の周縁封止部２０に密着させ、そして周縁封止部２０がトレイ１３やハウジング１１より柔軟な弾性部材からなるため、トレイ１３とハウジング１１との間の密封が実現できる。また、トレイ１３がハウジング１１の所定の位置（即ち、装着位置）に挿入された状態で、コイルバネ１５は常時トレイ１３をＹ１方向に付勢するため、防水密封を確実に実現できる。
【００４８】
コイルバネ１５の付勢力は、周縁封止部２０の弾性係数に基づいて定められる。コイルバネ１５の周縁封止部２０に対する付勢力が大き過ぎると、周縁封止部２０が大きく変形する可能性があり、さらに破壊される可能性があるので、密封性に影響する。これに対して、付勢力が小さすぎると、密封性を確保できない。周縁封止部２０の弾性係数に基づいて周縁封止部２０の付勢力の大きさを定めることによって、周縁封止部２０を適切に圧縮でき、確実且つ寿命が長い密封を実現できる。
【００４９】
また、ピンイジェクトタイプのカードコネクタ１は、プッシュロッド１８のＹ１方向側の前端部１８ｂを利用して前枠孔１９ｄを塞ぐことによって、水などの液体が前枠孔１９ｄを介してカードコネクタ１のハウジング１１の内部に侵入することを防止できる。プッシュロッド１８が前枠孔１９ｄを塞ぐ部材として利用されているため、この観点で部材点数を増やすことなく、簡単な構造によって前枠孔１９ｄを塞ぐことができ、カードコネクタ１の防水密封が実現できる。
【００５０】
また、プッシュロッド１８の前端部１８ｂを孔外封止部２２に密着させ、前枠１９より柔軟な弾性部材からなる孔外封止部２２を圧縮することによって、水などの液体が前枠孔１９ｄを介してカードコネクタ１のハウジング１１の内部に侵入することがより確実に防止できる。
【００５１】
また、前枠１９と電子装置の筐体３との間に筐体封止部２１を設けることによって、水などの液体がカードコネクタ１の前枠１９と電子装置の筐体３との間の間隙から電子装置の内部に侵入することを防止できる。当該筐体封止部２１がトレイ１３と電子装置の筐体３との間に設けることもでき、水などの液体がカードコネクタ１と電子装置との間の間隙から電子装置の内部に侵入することを防止できればよい。
【００５２】
また、周縁封止部２０と筐体封止部２１と両方を設置することにより、トレイ孔１３ｃから水などの液体が浸入したとしても、周縁封止部２０と筐体封止部２１との間までに侵入できるが、更なるカードコネクタ１の内部に侵入することはできない。
【００５３】
また、トレイ１３の挿抜の過程に、周縁封止部２０がトレイ１３のＹ１方向に圧縮され、Ｙ１方向の押圧力のみを受けるので、周縁封止部２０の表面が動摩擦力をほぼ受けないため、本発明の周縁封止部２０は、摩耗し難く、確実且つ寿命が長い密封を実現できる。
【００５４】
また、コイルバネ１５がプッシュロッド１８のＹ２方向側の前端部１８ｂをＹ２方向に付勢することによって、プッシュロッド１８の前端部１８ｂが前枠孔１９ｄを塞ぐだけではなく、前枠孔１９ｄの周縁に密着するので、確実な密封を実現できる。そして、トレイ１３がハウジング１１の所定の位置に挿入された動作状態で、コイルバネ１５は、常時トレイ１３と回転板１７とを介して、プッシュロッド１８の前端部１８ｂをＹ２方向に付勢するので、防水封止を確実に実現できる。
【００５５】
（実施形態２）
本発明の実施形態２は、上記実施形態１の一つの変形である。以下、実施形態１と異なる構造だけを説明し、重複な構造の説明を省略する。
具体的に、図７（Ａ）、図７（Ｂ）、図８に示すように、Ｙ１方向からみると、本発明の前枠１９′の前枠孔１９ｄ′が略正方形に形成され、当該略正方形の外形が、プッシュロッド１８′の前端部１８ｂ′の外形より大きく、前端部１８ｂ′が通過できるようになっている。また、図８に示すように、プッシュロッド１８′の長さが実施形態１のプッシュロッド１８の長さより長く、プッシュロッド１８′は、トレイ１３がハウジング１１の所定の位置に設けられた状態で、プッシュロッド１８′の前端部１８ｂ′が前枠孔１９ｄ′を介して直接トレイ孔１３ｃ′を塞ぐように設置される。また、Ｙ１方向から見ると、トレイ孔１３ｃ′が周縁封止部２０′の内部に位置する。この場合の「周縁封止部２０′の内部」とは、Ｙ１方向から見た際に周縁封止部２０′の内周より内側に位置する領域である。この周縁封止部２０′は前壁部１３ｂの第２開口部１９ａ側に設置されている。
【００５６】
また、本実施形態の孔外封止部２２の形状の大きさが実施形態１と同じ、設置位置のみが実施形態１と異なり、トレイ孔１３ｃ′のＹ１側の周辺に設けられる。プッシュロッド１８′の前端部１８ｂ′がトレイ孔１３ｃ′を塞ぐとき、コイルバネ１５のプッシュロッド１８′に対する付勢力によって、前端部１８ｂ′が孔外封止部２２と密着する。
【００５７】
実施形態２のカードコネクタ１によって、水などの液体がカードコネクタ１のハウジング１１の内部に侵入することを防止できるだけではなく、水などの液体がトレイ孔１３ｃ′を介してカードコネクタ１のトレイ１３とハウジング１１との間に侵入することを確実に防止できる。このように、水などの液体と周縁封止部２０′或は筐体封止部２１との直接接触を防止できる。
【００５８】
なお、水などの液体が、前壁部１３ｂと筐体３との隙間を介して周縁封止部２０′と筐体封止部２１との間まで侵入する可能性はあるが、前端部１８ｂ′が直接トレイ孔１３ｃ′を塞ぐように設置されるので、前端部１８ｂが前枠孔１９ｄを塞ぐ実施形態１に比べて、周縁封止部２０′と筐体封止部２１との間の空間は小さく、大量の液体が溜まることはない。
【００５９】
図７（Ａ）、図７（Ｂ）、図８に示した構成は、プッシュロッド１８′が前枠孔１９ｄ′を介してトレイ孔１３ｃ′を塞ぐ一例に過ぎず、プッシュロッド１８′及び前枠孔１９ｄ′の形状やサイズはこれに限らない。例えば、プッシュロッド１８′の前端部１８ｂ′は円柱体の形状であっても良い。この場合、前枠孔１９ｄ′はこの円柱体が通過できる円形の孔であっても良い。
【００６０】
（実施形態３）
本発明の実施形態３は、上記実施形態２の他の変形である。以下、実施形態２と異なる構造だけを説明し、重複な構造の説明を省略する。
図９に示すように、実施形態３のカードコネクタは、前枠を設けず、周縁封止部と前壁封止部とが実施形態２と同じである。コイルバネ１５のプッシュロッド１８′に対する付勢力によって、前端部１８ｂ′が孔外封止部２２と密着するので、トレイ孔１３ｃ′を確実に密封できる。
【００６１】
また、トレイ１３と電子装置の筐体３との間の密封は、トレイ１３の前壁部１３ｂの４つの側面（Ｘ１方向側、Ｘ２方向側、Ｚ１方向側、及びＺ２方向側の側面）に連続する封止リング１３ｅを設けることで実現できる。また、一般的なＯリングの構造を、トレイ１３と電子装置の筐体３との間の密封構造として使用できる。
実施形態２に比べて、本実施形態は、前枠、周縁封止部、及び前壁封止部等の部材を省略でき、更なる簡単な構造でカードコネクタの密封を実現できる。
【００６２】
（他の変形例）
本発明は、上記実施形態に限定されない。即ち、当業者は、本発明の保護範囲或はその同等な範囲に、上記実施形態の構成要素に対して、各種の変更、組合せ及び入れ替えを実施できる。
【００６３】
実施形態１〜実施形態３のカードコネクタは、前枠孔及び／或はトレイ孔内に弾性部材（例えばシリコーンゴム）からなる孔内封止部を設置でき、トレイの排出操作が実施される場合、カード取り出しピン等の排出操作部材が孔内封止部を介してプッシュロッドの前端部を押圧できる。
【００６４】
前枠孔及び／或はトレイ孔内に弾性部材からなる孔内封止部を設置することによって、通常の状態で、弾性部材が前枠孔及び／或はトレイ孔を封止でき、排出操作部材でトレイの排出操作が実施される場合、排出操作部材は当該弾性部材を圧縮しながら前枠孔及び／或はトレイ孔を貫通でき、さらにプッシュロッドの前端部を押圧できる。このような孔内封止部を設置することによって、水などの液体が前枠孔及び／或はトレイ孔を介してカードコネクタの内部に侵入することをさらに確実に防止できる。
【００６５】
また、実施形態１と実施形態２は、周縁封止部と筐体封止部とが前枠に設けられ、実際に周縁封止部と筐体封止部との少なくとも一つをトレイの前壁部に設けてもよい。例えば、トレイの前壁部のＹ１側の面に第１取付溝と第２取付溝を設け、周縁封止部と筐体封止部とを取付溝に設けてもよい。このような変形は、実施形態１、実施形態２と同じ防水効果を実現できる。
【００６６】
また、実施形態１と実施形態２との筐体封止部はこれに限定されず、例えば特許文献２のＯリングの構成を使用できる。
また、実施形態１〜実施形態３において、ピンイジェクトタイプのカードコネクタを例として説明したが、本発明は、ｐｕｓｈ−ｐｕｌｌタイプ及びｐｕｓｈ−ｐｕｓｈタイプのカードコネクタにも適用できる。ｐｕｓｈ−ｐｕｌｌタイプ及びｐｕｓｈ−ｐｕｓｈタイプのカードコネクタは、トレイの前壁部がトレイ孔を有しないため、孔外封止部等のトレイ孔を封止するための部材を設ける必要がなく、プッシュロッドを上記の各実施形態の形状及び長さのように形成する必要がない。また、ｐｕｓｈ−ｐｕｌｌタイプ及びｐｕｓｈ−ｐｕｓｈタイプのカードコネクタは、通常回転板とプッシュロッドからなるイジェクト機構を含まない。
【００６７】
また、実施形態１〜実施形態３に示されたイジェクト機構は一例に過ぎず、回転板及びプッシュロッドの形状や連結方式はこれに限らない。例えば、回転板とプッシュロッドとのそれぞれの端部よりも中間部分側で連結している構成も可能である。
【００６８】
また、各実施形態の孔外封止部は、トレイ或はハウジングより柔軟な材料（例えばシリコーンゴム）からなり、プッシュロッドとの当接中に圧縮され変形されることによって、防水封止を実現する。プッシュロッドの前端部をトレイ孔或は前枠孔と対応する形状（例えば、孔内に挿入可能な突部）に形成させることによって、封止トレイ孔或は前枠孔を封止する。このとき、上記の各実施形態の孔外封止部を設置しなくてもよい。
【符号の説明】
【００６９】
１  カードコネクタ
２  電子基板
３  筐体
３ａ  前側壁
３ｂ  開口
１１  ハウジング
１１ａ  本体部
１１ｂ  端子部
１１ｃ  第１開口部
１１ｄ  コイルバネ収容部
１１ｅ  短軸
１１ｆ  段差部
１２  蓋
１３  トレイ
１３ａ  載置部
１３ｂ  前壁部
１３ｃ、１３ｃ′  トレイ孔
１３ｄ  係合凹部
１３ｅ  封止リング
１４  係合部材
１４ａ  板ばね部
１４ｂ  凸部
１４ｃ  コイルバネ接続部
１４ｄ  中央部
１４ｅ  当接部
１５  コイルバネ（付勢部材）
１６  イジェクト機構
１７  回転板
１７ａ  円孔
１８、１８′  プッシュロッド
１８ａ  本体部
１８ｂ、１８ｂ′  前端部
１９  前枠
１９ａ  第２開口部
１９ｂ  第１取付溝
１９ｃ  第２取付溝
１９ｄ、１９ｄ′  前枠孔
２０  周縁封止部
２１  筐体封止部
２２  孔外封止部
１０１  筐体
１０２  開口
１０３  防水キャップ
１１０  トレイ
１１１  封止部
１２０  Ｏリング
１３０  ハウジング
１４０  框体
１４１  間隙
１４２  貫通孔
【図１】
2017022104.tif 000003
【図２】
2017022104.tif 000004
【図３】
2017022104.tif 000005
【図４】
2017022104.tif 000006
【図５】
2017022104.tif 000007
【図６】
2017022104.tif 000008
【図７】
2017022104.tif 000009
【図８】
2017022104.tif 000010
【図９】
2017022104.tif 000011